(57)【要約】イオン発生器を備えるアイロンおよびフラットストレートナーを含む、ヘアースタイリングデバイスが開示される。本発明は、１実施形態において、加熱された表面から使用者の毛髪への熱の伝導によって該使用者の毛髪を加熱するヘアースタイリングデバイスであって、ここでこのデバイスはさらに、イオン発生器システム、ファンおよびモーターを備え、ここでこのファンは、使用の間、使用者の毛髪へとイオン流を方向付けるスタイリングデバイスを提供する。
2007532177.tif 000002
【特許請求の範囲】
【請求項１】
加熱された表面から使用者の毛髪への熱の伝導によって該使用者の毛髪を加熱するヘアースタイリングデバイスであって、ここで該デバイスはさらに、イオン発生器システム、ファンおよびモーターを備え、ここで該ファンは、使用の間、該使用者の毛髪へとイオン流を方向付ける、スタイリングデバイス。
【請求項２】
カール形成アイロンである、請求項1に記載のデバイス。
【請求項３】
フラットストレートナーである、請求項1に記載のデバイス。
【請求項４】
前記イオン発生システムが陽電極および陰電極に接続されたイオン発生器を備え、該陽電極が１つ以上の陽極ピンを、そして該陰電極が１つ以上の陰極リングを備える、請求項1に記載のデバイス。
【請求項５】
カール形成アイロンまたはフラットストレートナーであるヘアースタイリングデバイスであって、該デバイスは、以下：
イオン発生器システム；
ファン；および
モーター
を備え、ここで該ファンは、使用の間、該イオン発生器システムによって生成されたイオン流を使用者の毛髪へと方向付ける、ヘアースタイリングデバイス。
【請求項６】
前記イオン発生器システムが、陽電極および陰電極に接続されたイオン発生器を備え、該陽電極が１つ以上の陽極ピンを、そして該陰電極が１つ以上の陰極リングを備える、請求項５に記載のデバイス。
【請求項７】
カール形成アイロンであって、以下：
ハンドル部分を形成するハウジング；
該ハウジングに隣接するバレル；
使用の間、該バレルを加熱するための、該バレル内に収容されるヒーター；
フリッパーアクチュエータに機械的に連結されるフリッパー；
該ハンドル部分内に収容されるイオン発生器システムであって、ここで該イオン発生器システムは、使用の間にマイナスイオン流を発生するように構成される、１つ以上の陽極ピンおよび１つ以上の陰極リングに電気的に接続されるイオン発生器を備える、イオン発生器システム；
モーターおよび該モーターに接続されるファン；
該ハウジング内に形成され、そして該ファンと流体連絡する、吸気口；
該ファンによって該バレル内へと推進される空気およびイオンを方向付けるためのエアガイド；ならびに
使用の間に該使用者の毛髪へと空気およびイオン流を方向付けるための、該バレル内に形成される、吹き出し孔
を備える、カール形成アイロン。
【請求項８】
前記フリッパーアクチュエータが、前記ハンドル部分のハウジング中に配置される、請求項７に記載のカール形成アイロン。
【請求項９】
電源コードスイベルをさらに備える、請求項７に記載のカール形成アイロン。
【請求項１０】
カール形成アイロンであって、以下：
ハンドル部分を形成するハウジング；
該ハウジングに隣接するバレル；
使用の間、該バレルを加熱するための、該バレル内に収容されるヒーター；
フリッパーアクチュエータに機械的に連結されるフリッパーであって、ここで該フリッパーアクチュエータが該ハンドル部分の該ハウジング内に配置される、フリッパー；
該ハンドル部分内に収容されるイオン発生器システムであって、ここで該イオン発生器システムは、使用の間にマイナスイオン流を発生するように構成される、１つ以上の陽極ピンおよび１つ以上の陰極リングに電気的に接続されるイオン発生器を備える、イオン発生器システム；
モーターおよび該モーターに接続されるファン；
該ハウジング内に形成される、吸気口；
該ファンによって該バレル内へと推進される空気およびイオンを方向付けるためのエアガイド；ならびに
使用の間に該使用者の毛髪へと空気およびイオン流を方向付けるための、該バレル内に形成される、吹き出し口
を備える、カール形成アイロン。
【請求項１１】
フラットストレートナーであって、以下：
ハウジング；
使用の間に使用者の毛髪と接触し、そして該毛髪をスタイリングする、加熱プレート；
該ハウジング内に収容され、そして以下：
電極のアレイに接続されたイオン発生器であって、ここで該電極のアレイは、１つ以上の陽極ピンを備え、該陽極ピン各々が陰極リングと関連しており、ここで該陽極ピン各々が、該陰極リングの各々における環状開口部と同軸上にある、イオン発生器
を備える、イオン発生器システム；ならびに
エアフローシステムであって、該エアフローシステムは、モーター、該ハウジング内に収容されるファンおよびエアガイド、該ハウジング内に形成される吸気口、ならびに少なくとも１つの加熱プレートに隣接して形成されるエア吹き出し口を備える、エアフローシステム；
を備え、ここで、使用の間、該ファンは、該吸気口を通ってハウジング内へと、そしてエアガイド内へと空気を導き、ここで該空気は、該電極アレイを横切って、そして該エア吹き出し口から外へと、そして使用者の毛髪へと方向付けられる、フラットストレートナー。
【請求項１２】
請求項１１に記載のフラットストレートナーであって、該フラットストレートナーの状態を示すためのＬＥＤディスプレイをさらに備える、フラットストレートナー。
【請求項１３】
調節可能な加熱設定をさらに備える、請求項１１に記載のフラットストレートナー。
【発明の詳細な説明】
【技術分野】
【０００１】
イオン発生器を備えるアイロンおよびフラットストレートナー（ｆｌａｔ  ｓｔｒａｉｇｈｔｎｅｒ）を含む、ヘアースタイリングデバイスが開示される。
【発明の開示】
【課題を解決するための手段】
【０００２】
（要旨）
本開示の好ましい実施形態としては、毛髪スタイリングデバイスが挙げられ、この毛髪スタイリングデバイスとしては、急速な加熱能力を備えるかまたは備えていない、カール形成（ｃｕｒｌｉｎｇ）アイロンおよびフラットストレートナーが挙げられ、これらはまた、マイナスイオン流を発生する。マイナスイオン気流システムはイオン発生器を備え、このイオン発生器の排出口は、陽電極アレイおよび陰電極アレイの間に連結される。好ましくは、陽電極アレイは尖頭型電極を備え、そして陰電極アレイは、関連する尖頭型電極と同軸上にある中心開口部を有する、環状様電極を備える。好ましくは、この環状様電極は、空気が流れ通る開口部までこの環状様電極の表面が平滑でありかつ連続しているように、鍛造または押出によって１枚の金属シートから形成される。
【０００３】
マイナスイオンシステムはさらに、ファンを備えた小さなＤＣモーターを備え、これは気流を形成して、カール形成アイロンのバレルから外へか、または小開口部を通ってストレートナーの平坦なプレートから外へ、そして無事に使用者の毛髪へとマイナスイオンを安全に押し出す。
【０００４】
特定の実施形態において、ヘアースタイリングカール形成アイロンはまた、そのフリッパー／挟み（ｔｏｎｇ）設計によって独特の特徴を含む。好ましいフリッパー／挟み設計は、ハンドル内にフリッパー／挟みを備え、以前の扱いにくくかつ嵩張るサムグリップ設計をなくす。この新規のフリッパー／挟み設計は、使用者が、フリッパーを作動させるために指を拡げなければならないのを防ぎ、そして従来のサムグリップ設計のような指の火傷の危険性を低下させる。
【発明を実施するための最良の形態】
【０００５】
本開示全体を通して、文脈がそれ以外を示さない限り、語「含む（ｃｏｍｐｒｉｓｅ）」または「含む（ｃｏｍｐｒｉｓｅｓ）」または「含んでいる（ｃｏｍｐｒｉｓｉｎｇ）」のようなそのバリエーションは、「含む（ｉｎｃｌｕｄｅｓ）が、それに限定されない」を意味することを理解され、その結果、例示的に述べられない他の構成要素もまた含まれ得る。さらに、文脈がそれ以外を示さない限り、用語「１つの（ａ）」の使用は、対象物もしくは構成要素の単数を意味し得るか、またはこれは、その対象もしくは構成要素の複数、すなわち１つ以上を意味し得る。
【０００６】
（詳細な説明）
本開示の１つの好ましい実施形態が、図１に示される。カール形成アイロンは、ハウジング２２を備え、このハウジング２２はハウジング上側１４、ハウジング下側１５、および前面キャップ１６を備え、これらはハンドル部分およびハンドル部分２３から延びるバレル２４を形成する。また、図１の斜視図において、電源スイッチ１２を制御するスイッチアクチュエータ１３、およびフリッパーアクチュエータ８が示される。カール形成アイロンの実施形態および／またはフラットアイロンの実施形態において、単一のスイッチが、加熱機能およびイオン流システムを制御してよいし、またこれらは別々のスイッチにより制御されてもよいことが理解される。フリッパー７は、閉位置において、バレルの長さに沿って位置することが示される。当該分野において標準的であるように、このフリッパーは、使用者の毛髪をスタイリングするため、加熱されたバレルに対してその使用者の毛髪の一部を保持するように構成される。使用の間、このバレルは加熱され、次いで使用者は、フリッパーを開位置にした状態で、このバレル周囲に毛髪の一部を巻き付け得、次いでフリッパーを閉じて、加熱されたバレルに対して毛髪を保持する。示される実施形態はまた、イオンを使用者の毛髪へと向付けるために、ハウジング内にイオン発生器およびファンを備える。従って、このハウジングは、図２に示されるように、毛髪へのイオン流のため、空気の取り込みのための吸気口２５およびバレル２４の下側に小開口部２６を提供する。図１に示されるカール形成アイロンの他の有利な特徴としては、電源コードスイベル２１が挙げられ、この電源コードスイベル２１は電源コードを絡ませることなくカール形成アイロンを回転させることを可能にし、そして使用者の安全のための冷えた先端２０を備える。
【０００７】
カール形成アイロンの実施形態の断面図が、図３に示される。電源コードは、電源コードスイベル２１を介してカール形成アイロンに接続され、そしてスイッチ１２に電力を供給する。このスイッチが作動されると、電力がヒーターアセンブリに供給される。このヒーターアセンブリは、ヒーター１８、ヒートシンク１７、およびヒータースリーブ１９を備え、これらは全てバレル２４内に収容される。スイッチ１２を作動させ、これによってバレル２４を加熱し、そしてこの熱は、バレル２４との直接接触を介した伝導によって毛髪に伝わる。スイッチ１２はまた、イオンシステムを制御し得る。スイッチ１２からの電力は、イオン発生器１に接続され、このイオン発生器１は、陽電極および陰電極のアレイに接続される。図３に示される実施形態において、このアレイは、陽極ピン２（単数または複数）、およびその陽極ピン２と同軸上に中心開口部を備える環状の陰極リング３（単数または複数）を備える。イオン発生器からの出力（電力）は、この電極アレイからマイナスイオンの生成を駆動する。ファン４が取り付けられたＤＣモーターは、使用の間、これらマイナスイオンを含む空気をエアガイド６を通してバレル２４内へと、そして小開口部２６を通って使用者の毛髪へと推進させる。
【０００８】
カール形成アイロンの特定の実施形態の別の利点は、フリッパーを使用することの容易さおよび安全性である。フリッパーアクチュエータがバレル上に存在するカール形成アイロンと対照的に、示される実施形態において、フリッパーアクチュエータ８はハンドル部分２３内に存在し、これによってフリッパーはバレルに被せるように親指を伸ばすことなく、そして高温のバレルを偶発的に触ることによる火傷の危険なしに作動され得る。フリッパー７は、ロッド１１に取り付けられたスプリング１０によって図４に示されるように閉位置で保持され、閉位置でこのフリッパー７にバイアスをかける。フリッパーアクチュエータ８は、フリッパー連結部９を介してロッド１１に取り付けられる。フリッパーアクチュエータ８（図３に示される）を押し下げることは、フリッパー７を開位置に押し上げる。このことは、親指をバレルの上から移動させることなしに達成され、従って従来のフリッパー配置よりも容易かつ安全である。
【０００９】
特定の好ましい実施形態において、開示されるようなヘアースタイリングデバイスは、図５に示されるような、フラットストレートナーまたは「フラットアイロン」である。フラットストレートナーは、２つのアームを有し、これらはヒンジによって一方の端において接続され、そして反対の端において加熱されるプレートを有する。フラットストレートナーは、代表的に、開位置においてバイアスをかけられ、そして使用者は自分の毛髪をこれらのプレートの間に配置し、次いでアームを一緒に押し付けて、これら２つの加熱されたプレートの間に毛髪をスタイリングするかまたはまっすぐにする。図５に示される実施形態は、ハウジング５０、および電源コード５２を備える。電源コードは、電源スイッチ５４に電力を供給し、各々のアームのヒーター５３に接続される。これらのヒーターは、ヒータープレート５１に隣接しており、このヒータープレート５１が使用者の毛髪と接触し、そして毛髪をスタイリングおよびまっすぐにするための直接的な伝導熱を供給する。このヒータープレートはヒータープレートアイソレーター６３によってハウジングから絶縁される。示される実施形態はまた、ＬＥＤディスプレイ５５を備え、これは使用者にこのデバイスの状態を示す。
【００１０】
フラットストレートナーはまた、使用の間、使用者の毛髪へのマイナスイオン流の利益を提供する。電源スイッチは、イオン発生器５８に接続され、イオン発生のための（＋）電極５９および（−）電極６０のアレイに接続される。これらの電極アレイは、カール形成アイロンの実施形態において記載された電極アレイと同様であり得、ここで１つ以上の陽極ピン各々が、１つ以上の陰極リングそれぞれの環状開口部内で同軸上に配置される。電極を備えるアーム内に、ファン５７を取り付けられた小さなＤＣモーター５６が存在する。このファンは、使用の間、ハウジング内に形成される吸気口６１から、電極アレイを横切って小開口部６２から外へ、そして使用者の毛髪へと空気を方向付ける。当該分野で公知のさらなる特徴（例えば、調節可能な温度設定）もまた、記載される実施形態のいずれかにおいて包含され得る。
【００１１】
本明細書中に開示されそして特許請求される全ての装置および方法は、本開示を考慮して過度の実験なしに作製され得、そして実施され得る。本開示は、好ましい実施形態に関して記載されているが、本発明の概念、精神および範囲から逸脱することなく、本明細書中に記載される装置および／または方法に対して、そして本明細書中に記載される方法の工程および工程の順序において、バリエーションが適用され得ることは、当業者に明らかである。当業者に明らかであるこのような類似の置換物および改変物は、添付の特許請求の範囲により規定される、本発明の精神、範囲および概念の内に存在するとみなされる。
【図面の簡単な説明】
【００１２】
以下の図面は、本明細書の一部を構成し、そして本開示の好ましい実施形態の特定の局面をさらに実証するために含まれる。
【図１】図１は、カール形成アイロンの斜視図である。
【図２】図２は、カール形成アイロンの下側平面図である。
【図３】図３は、フリッパーが閉位置にある、カール形成アイロンの断面図である。
【図４】図４は、フリッパーが開位置にある、カール形成アイロンの断面図である。
【図５】図５は、フラットストレートナーの断面図である。
【図１】
2007532177.tif 000003
【図２】
2007532177.tif 000004
【図３】
2007532177.tif 000005
【図４】
2007532177.tif 000006
【図５】
2007532177.tif 000007
【国際調査報告】
2007532177.tif 000008